【手続補正書】
【提出日】平成25年6月20日(2013.6.20)
【手続補正１】
【補正対象書類名】明細書
【補正対象項目名】００１３
【補正方法】変更
【補正の内容】
【００１３】
電子式指示計器１００は、更に、電気量を計測演算するために必要な設定データである相線式設定記憶部８ａ、一次電流設定記憶部８ｂ、一次電圧設定記憶部８ｃと、計測データを外部へ送信するためのアナログ出力設定記憶部８ｄ、電力量の積算値を外部へ送信するためのパルス出力設定記憶部８ｅ等の各設定項目の選択可能な設定値を記憶する設定内容記憶部８と、その設定データを外部の設定器と送受信できる通信制御部９と、計測値に応じた電流またはパルスを出力する出力部１０とを備えている。 
【手続補正２】
【補正対象書類名】明細書
【補正対象項目名】００１４
【補正方法】変更
【補正の内容】
【００１４】
また、設定内容記憶部８のそれぞれの設定可能データは、例えば相線式設定記憶部８ａが三相３線式、三相４線式、単相３線式、単相２線式、一次電流設定記憶部８ｂが５Ａ〜３０kＡ、一次電圧設定記憶部８ｃが１１０Ｖ〜７５０ｋＶ、アナログ出力設定記憶部８ｄが各相電流、各相間電圧、有効電力、無効電力、力率、パルス出力設定記憶部８ｅが１ｋＷｈ/ｐｕｌｓｅ〜０．００１ｋＷｈ/ｐｕｌｓｅである。 
【手続補正３】
【補正対象書類名】明細書
【補正対象項目名】００１５
【補正方法】変更
【補正の内容】
【００１５】
図２において、表示部５は、一画面上に設定項目ごとに割り当てられた桁数を有する設定項目表示面からなっており、例えば、相線式の設定を表示する相線式設定表示部である第１の表示部５ａ（四桁で表示）と、電路１の定格電圧の設定を表示する一次電圧設定値表示部である第２の表示部５ｂ（四桁で表示）と、電路１の定格電流の設定を表示する一次電流設定値表示部である第３の表示部５ｃ（五桁で表示）を備えている。そして、操作部７は設定モードと、計測モードの切替えや選択内容決定時に使用する設定キー７ａと、選択内容を切替えるマイナスキー７ｂ、プラスキー７ｃと、選択内容取消し時に使用するリセットキー７ｄを備えている。 
【手続補正４】
【補正対象書類名】明細書
【補正対象項目名】００１９
【補正方法】変更
【補正の内容】
【００１９】
次いで、指示計器１００を操作部７における設定キー７ａにより図７に示すように計測モードから、設定モードへ切り替える（Ｓ１０３）。 
【手続補正５】
【補正対象書類名】明細書
【補正対象項目名】００２０
【補正方法】変更
【補正の内容】
【００２０】
設定モードではまず、設定番号を指定する（Ｓ１０４）。
今、表示部５における表示部５１ｃ（図７）には設定番号を表す数字「１２８」が表示されており、設定番号を変更する場合、プラスキー７ｃまたはマイナスキー７ｂを押すごとに、設定番号が切り替わる。所望の設定番号を選択し、設定キー７ａを押すことで決定する。 
【手続補正６】
【補正対象書類名】明細書
【補正対象項目名】００２１
【補正方法】変更
【補正の内容】
【００２１】
設定番号の指定が終わると、指示計器１００は設定データの受信待機モード（図８）に移行する（Ｓ１０５）。指示計器１００は、受信待機モード下で設定器１００から設定データを受信すると（Ｓ１０６）、設定データを設定内容記憶部８（図１）に保存する（Ｓ１０７）。その後、相線式、一次電圧、一次電流の設定値を表示部５における設定データの確認画面に表示後（Ｓ１０８）、設定モードを終了する。
【手続補正７】
【補正対象書類名】明細書
【補正対象項目名】００２２
【補正方法】変更
【補正の内容】
【００２２】
上記ＰＣ３００での設定操作により例えば、相線式が三相３線式に、一次電圧が６６００Ｖに、一次電流が１００Ａにそれぞれ設定され、上記設定器２００から電子式指示計器１００が当該設定された相線式、一次電圧、一次電流の設定データを受信した場合には、電子式指示計器１００では、図６に示すような表示画面５０→表示画面５１→表示画面５２と、表示部５の表示画面の画面遷移を実施する。
図６において、まず、表示画面５０は計測モードを示す画面であり、例えば一次電圧の計測値を第１の表示部５０ａに、電力量の計測値を第２の表示部５０ｂに、逆潮流電力量の計測値を第３の表示部５０ｃに表示する例である。
表示画面５１は、設定番号を表示させる（Ｓ１０４（図５）での処理）画面の例であり、例えば、設定番号２を選択しているが、選択されていることを第３の表示部５１ｃに表示している例である。
表示画面５２は設定データ確認画面表示（Ｓ１０８（図５）での処理）の例であり、相線式を第１の表示部５２ａに、一次電圧を第２の表示部５２ｂに、一次電流を第３の表示部５２ｃに、各々一度に表示させる画面例である。 
【手続補正８】
【補正対象書類名】明細書
【補正対象項目名】００２３
【補正方法】変更
【補正の内容】
【００２３】
また、上記設定データの確認画面である表示画面５０，５１，５２の最後の表示画面５２でプラスキー７ｃまたは、マイナスキー７ｂを押すことで、画面をスクロールでき、全ての設定データを確認することが可能である。つまり、電子式指示計器１００の表示部５には、画面をスクロールして全ての設定データを確認する場合、当該確認に先駆けて、相線式、一次電圧、一次電流が表示される。
【手続補正９】
【補正対象書類名】明細書
【補正対象項目名】００２４
【補正方法】変更
【補正の内容】
【００２４】
ＰＣ３００での設定データの作成は、専用のアプリケーションをダウンロードして行う。図９において、設定データ作成画面３００Ｄは、設定項目表示部３０と、デフォルトの設定値表示部３１と、設定値表示部３２と、設定番号表示部３３と、設定データ送信ボタン３４と、設定データ読込ボタン３５を備えている。設定値表示部３２は、プルダウンメニュー（図９の例では、表示部３２の右側に隣接して表示してある）にて設定値を選択できる。作成した設定データはＰＣ上に保存し、設定データ送信ボタン３４をクリックすることで、設定器２００へ送信できる。さらに設定器２００は、現場にて設定データ変更した場合などに、変更した設定データを指示計器より取得し保存可能であり、その設定データは設定データ読込ボタン３５をクリックすることで、ＰＣ３００に取り込み可能である。 
【手続補正１０】
【補正対象書類名】明細書
【補正対象項目名】００３０
【補正方法】変更
【補正の内容】
【００３０】
図１０において、先ず、指示計器１０４を操作部７（図２）における設定キー７ａにより計測モードから、設定モードへ切り替える（Ｓ２０１）。すると、指示計器１０４は設定データの受信待機モードに移行する（Ｓ２０２）。この間に設定器２００は指示計器１０４に送信要求を送出し（Ｓ３０１）、指示計器１０４から設定データを受信取得する（Ｓ３０２）。
【手続補正１１】
【補正対象書類名】明細書
【補正対象項目名】００３１
【補正方法】変更
【補正の内容】
【００３１】
次に、指示計器１０５を操作部７（図２）における設定キー７aにより計測モードから、設定モードへ切り替える（Ｓ２０４）。すると、指示計器１０５は設定データの受信待機モードに移行する（Ｓ２０５）。この間に設定器２００がコピーした指示計器１０４の設定データを受信すると（Ｓ３０３）、指示計器１０５は、設定器２００から設定データを受信する（Ｓ２０６）。そして、受信した設定データを設定内容記憶部８（図１）に保存する（Ｓ２０７）。その後、相線式、一次電圧、一次電流の設定値を設定データ確認画面に表示後（Ｓ２０８）、設定モードを終了する。 
【手続補正１２】
【補正対象書類名】明細書
【補正対象項目名】００３２
【補正方法】変更
【補正の内容】
【００３２】
実施の形態２での設定データの確認画面は、実施の形態１の表示画面５２（図６）の、例えば、相線式を第１の表示部５２ａへ、一次電圧を第２の表示部５２ｂへ、一次電流を第３の表示部５２ｃへ、１度に表示させる画面例と同じである。 
【手続補正１３】
【補正対象書類名】明細書
【補正対象項目名】００４２
【補正方法】変更
【補正の内容】
【００４２】
実施の形態４では、例えば、最初の設定値確認画面７０では相線式設定値７０ａ、一次電圧設定値７０ｂを示し、次の設定値確認画面７１では一次電圧設定値７１ａ、一次電流設定値７１ｂのように２項目ずつ順番に表示させる画面例である。 
【手続補正１４】
【補正対象書類名】明細書
【補正対象項目名】００４７
【補正方法】変更
【補正の内容】
【００４７】
１００    電子式指示計器、          １    電路、
２    電流入力部、                  ３    電圧入力部、
４    計測演算部、                  ５    表示部、
５a 相線式設定表示部、              ５ｂ    一次電圧設定値表示部、
５ｃ    一次電流設定値表示部、      ６    表示制御部、
７    操作部、                      ７ａ    設定キー、
７ｂ    マイナスキー、              ７ｃ    プラスキー、
７ｄ    リセットキー、              ８    設定内容記憶部、
８ａ    相線式設定値記憶部、        ８ｂ    一次電流設定値記憶部、
８ｃ    一次電圧設定値記憶部、      ８ｄ    アナログ出力設定値記憶部、
８ｅ    パルス出力設定値記憶部、    ９    通信制御部、
１０    出力部。